(57)【要約】【課題】レーザ光を使用する顕微鏡において、対物レンズを不用意に取外すことを防止できる上に、作業の邪魔にならず、構造が簡単で、しかも必要なときには確実に取外しできるようにする。【解決手段】顕微鏡レボルバ１２に装着した対物レンズ１４に嵌装し、該対物レンズ１４の不用意な取外しを防止するリング状部材からなる顕微鏡の安全装置１０であって、前記リング状部材の外周形状が、隣接する対物レンズに嵌装された状態では、対物レンズ１４を回転させようとすると互いに干渉して回転不能な、隣接する対物レンズの中心間距離より大きい直径の円形を基本とし、該中心間に相当する位置が同中心間距離以下に形成されている。【選択図】図１
2006126344.tif 000002
【特許請求の範囲】
【請求項１】
顕微鏡レボルバに装着された対物レンズに嵌装し、該対物レンズの不用意な取外しを防止するリング状部材からなる顕微鏡の安全装置であって、
前記リング状部材が、隣接する対物レンズに嵌装された状態では、対物レンズを回転させようとすると互いに干渉する外周形状で形成されていることを特徴とする顕微鏡の安全装置。
【請求項２】
前記リング状部材の外周形状が、隣接する対物レンズの中心間距離より大きい直径の円形を基本とし、該中心間に対応する位置が同中心間距離以下に形成されていることを特徴とする請求項１に記載の顕微鏡の安全装置。
【請求項３】
前記リング状部材の外周形状が、多角形であることを特徴とする請求項１に記載の顕微鏡の安全装置。
【請求項４】
顕微鏡本体に装着した対物レンズに嵌装し、該対物レンズの不用意な取外しを防止するリング状部材からなる顕微鏡の安全装置であって、
前記リング状部材が、一端に対物レンズの外周突出部より狭小径の開口部が形成され、他端に顕微鏡本体に固定する固定部が形成された筒体からなることを特徴とする顕微鏡の安全装置。
【請求項５】
前記請求項１乃至４のいずれかに記載の安全装置を装備したことを特徴とする顕微鏡。
【発明の詳細な説明】
【技術分野】
【０００１】
本発明は、顕微鏡の安全装置及びそれを装着した顕微鏡に係り、特にクラス２以上のレーザ光を使用する顕微鏡の安全規格の対応に適用して好適な、顕微鏡の安全装置及びそれを装着した顕微鏡に関する。
【背景技術】
【０００２】
一般に、レーザ光（クラス２以上）を使用する機器に対しては、ＩＥＣ／ＦＤＡ／ＪＩＳ等により安全規格が設定されている。具体的には、製造者責任（ＩＥＣ６０８２５−１）として、「機能とは関係ない状態では、人体への被爆をクラス１以下になるように保護筐体を備えていなければならない」という規定がある。
【０００３】
従って、レーザ光（クラス２）を用いたオートフォーカス機能を有する顕微鏡においても、通常観察時には問題にならないが、例えば対物レンズを外した状態で誤ってオートフォーカスを実行（レーザ光照射）した場合には問題となるので、上記規格を満たすための対策をとる必要がある。
【０００４】
この規格に対応するための策としては、以下の（１）〜（３）が考えられる。
【０００５】
（１）インターロック付きの安全カバーを設け、該カバーを開けると電源がＯＦＦになるようにする。なお、適用対象は異なるが、インターロックに関する技術が、特許文献１に開示されている。
【０００６】
（２）メカニカルシャッターを設け、対物レンズを取外すとレーザ光路が遮断されるようにする。
【０００７】
（３）レボルバに対物レンズを固定するためのセットねじを設け、簡単に対物レンズを外せないようにする。
【０００８】
【特許文献１】特開２００２−２４８８３４号公報
【発明の開示】
【発明が解決しようとする課題】
【０００９】
しかしながら、前記（１）インターロック付き安全カバーには、レンズ交換や通常の検鏡作業上、カバーが邪魔になる、（２）メカニカルシャッターには、構造が複雑になる、（３）セットねじの採用には、対物レンズ側の取付ねじ部がセットねじにより変形し、レンズがレボルバから取外せなくなる場合がある、という問題がそれぞれある。
【００１０】
本発明は、前記従来の問題点を解決するべくなされたもので、レーザ光を使用する顕微鏡において、レーザ安全規格に対応するために、レボルバ等の顕微鏡本体から対物レンズを不用意に取外すことが防止できる上に、通常観察時の作業の邪魔にならず、構造が簡単で、しかも取外す必要があるときには確実に取外すことができる顕微鏡の安全装置及びそれを装備した顕微鏡を提供することを課題とする。
【課題を解決するための手段】
【００１１】
本発明は、顕微鏡レボルバに装着された対物レンズに嵌装し、該対物レンズの不用意な取外しを防止するリング状部材からなる顕微鏡の安全装置であって、前記リング状部材が、隣接する対物レンズに嵌装された状態では、対物レンズを回転させようとすると互いに干渉する外周形状で形成されているようにしたことにより、前記課題を解決したものである。
【００１２】
本発明は、又、前記リング状部材の外周形状が、隣接する対物レンズの中心間距離より大きい直径の円形を基本とし、該中心間に対応する位置が同中心間距離以下に形成されているようにしてもよく、又、前記リング状部材の外周形状が、多角形であるようにしてもよい。
【００１３】
本発明は、又、顕微鏡本体に装着した対物レンズに嵌装し、該対物レンズの不用意な取外しを防止するリング状部材からなる顕微鏡の安全装置であって、前記リング状部材が、一端に対物レンズの外周突出部より狭小径の開口部が形成され、他端に顕微鏡本体に固定する固定部が形成された筒体からなるようにすることにより、同様に前記課題を解決したものである。
【００１４】
本発明は、更に、前記いずれかの安全装置を装備した顕微鏡を提供することにより、同様に前記課題を解決したものである。
【発明の効果】
【００１５】
本発明によれば、安全装置を、顕微鏡レボルバに装着された隣接する対物レンズに嵌装された状態では、対物レンズを回転させようとすると外形部分が互いに干渉して回転しないリング状部材で構成したので、対物レンズを不用意に取外すことを防止でき、レーザ被爆に対する安全性を確保することができる。
【００１６】
又、本発明によれば、安全装置を、一端に対物レンズの外周突出部より狭小径の開口部が形成され、他端に顕微鏡本体（レボルバ又はシングルマウント）に固定する固定部が形成された筒体からなるリング状部材で構成したので、該固定部を介して顕微鏡本体に取付けることにより、対物レンズを取外そうとすると、その外周突出部が開口部に干渉するので、同様に対物レンズを不用意に取外すことを防止でき、安全性を確保することができる。
【発明を実施するための最良の形態】
【００１７】
以下、図面を参照して、本発明の実施の形態について詳細に説明する。
【００１８】
図１には、本発明の第１実施形態の安全装置が装備された顕微鏡を側方から見たイメージを示し、図２には、該顕微鏡を下から見たイメージを示す。又、図３には、１本の対物レンズに関する分解斜視図を示す。
【００１９】
本実施形態においては、レーザ光（クラス２）を用いたオートフォーカス機能を有している顕微鏡を対象とするため、レーザ安全規格へ対応する必要がある。そのために不用意に対物レンズを取外してしまわないように以下のような安全装置を装備する。
【００２０】
本実施形態の安全装置１０は、金属等で形成されたリング状部材からなり、顕微鏡レボルバ１２に等間隔で形成されている穴に螺入して装着された複数の対物レンズ１４に、それぞれ嵌装した状態で、図３に示したように各対物レンズ１４の外周に固定ねじ１６で固定して装備される。
【００２１】
又、顕微鏡レボルバ１２には、対物レンズを装着しない孔には、誤射によるレーザー光を遮断するためのキャップ１８を装着する。このキャップ１８には対物レンズ１４と同様の安全装置（リング状部材）１０が装備可能になっている。
【００２２】
本実施形態の安全装置（リング状部材）１０は、顕微鏡レボルバ１２に嵌装した際に、隣接する対物レンズ１４に嵌装された状態では、対物レンズ１４を回転させようとすると互いに干渉して回転不能な外周形状で形成されている。
【００２３】
具体的には、便宜上レボルバ１２の装着面が平坦であるとして、図４にリング状部材１０を対物レンズ１４に嵌装した状態のイメージを示すように、リング状部材１０の外周形状が、隣接する対物レンズ１４の中心間距離より大きい直径の円形を基本としている。従って、その円形のままではリング状部材１０同士が干渉する。そこで、その中心間に対応する位置（２箇所）の外周部を平坦に（薄く）し、その位置では外周部が中心間距離以下に形成されているようにし、干渉しないようにしてある。
【００２４】
従って、図５（Ａ）に示す通常の嵌装状態から、対物レンズ１４を取外そうとして廻すと、同図（Ｂ）に示すように、隣接するリング状部材１０同士が干渉することになるため、取外すことができない。その結果、対物レンズ１４を不用意に取外し、危険な状態になることを避けることができる。
【００２５】
本実施形態においては、ユーザーによる対物レンズの交換は容易にできないようにし、工具を使用してリング状部材１０を外さなければ、対物レンズ１４をレボルバ１２から取外すことができない構造にした。又、対物レンズ１４が装着されていない場合は、キャップ１８を装着しておき、このキャップ１８も取外す際に工具を必要とするようにした。
【００２６】
以上詳述した本実施形態によれば、リング状部材１０を取付けるだけで対物レンズ１４の取外しを不可能とすることができ、レーザ安全規格を満足することができる。
【００２７】
又、レボルバ１２及び対物レンズ１４自体に、対物レンズ１４を取外せないように固定するための特別な構造を設ける必要が無い。更に、使用しないレボルバ穴へのキャップ１８にも同様のリングを装着しておくことにより、例えば後に対物レンズを追加する際に転用することが可能である上に、安全性を確保することも可能となる。
【００２８】
図６には、４穴レボルバの場合の第２実施形態を示し、この場合はリング状部材１０の形状（サイズ）を大きくする等、変更することにより同様に対応することができる。
【００２９】
図７には、リング状部材の外形形状を三角形にした場合の第３実施形態を、又、図８には、四角形にした場合の第４実施形態を示す。
【００３０】
図９には、第５実施形態の安全装置（リング状部材）の縦断面を示す。このリング状部材２０は、一端に対物レンズ１４の外周突出部１４Ａより狭小径の開口部２０Ｂが形成され、他端にレボルバ（顕微鏡本体）１２に取付（ねじ止め）用のフランジ（固定部）２０Ａが形成された筒体からなる。
【００３１】
このような構造にすることにより、対物レンズ１４を取外す際に、その抜け止めとして対物レンズ１４の外周の突出部１４Ａを利用することができる。即ち、この場合は、安全装置２０を取付けるために、レボルバ１２に対するねじ孔加工と設置面積が必要となるが、開口部２０Ｂが対物レンズの突出部１４Ａと干渉する構造になっているため、同様に対物レンズ１４を不用意に取外すことを防止できる。
【００３２】
図１０には、第６実施形態の安全装置（リング状部材）を示す、このリング状部材３０は、同図（Ａ）に示すような対物レンズを１本しか装着できない顕微鏡シングルマウントの場合に適用されるもので、点線の丸の位置の断面を拡大した同図（Ｂ）に示すように、リング状部材３０が、一端にシングルマウント（顕微鏡本体）３２にねじ３４で固定するねじ孔（固定部）３０Ａが形成され、他端は前記図９の第５実施形態と実質的に同一の構造にしたものである。この場合も同様に、対物レンズ１４の突出部１４Ａが狭小径の開口部３０Ｂと干渉するため、不用意に取外すことを防止できる。
【００３３】
なお、本発明の安全装置（リング状部材）に形成された、互いに干渉する外形形状は、前記実施形態に示したものに限定されない。特に、多角形の場合は、三角形、四角形に限らず、五角形以上であってもよい。
【図面の簡単な説明】
【００３４】
【図１】第１実施形態の安全装置を対物レンズに嵌装した状態のイメージを示す概略側面図
【図２】第１実施形態の安全装置を対物レンズに嵌装した状態のイメージを示す概略平面図
【図３】第１実施形態の安全装置、レボルバ及び対物レンズ等の関係を示す分解斜視図
【図４】第１実施形態の安全装置の特徴を模式的に示す平面図
【図５】第１実施形態の安全装置の作用を示す説明図
【図６】第２実施形態の安全装置の特徴を模式的に示す平面図
【図７】第３実施形態の安全装置の特徴を模式的に示す平面図
【図８】第４実施形態の安全装置の特徴を模式的に示す平面図
【図９】第５実施形態の安全装置の特徴を示す縦断面図
【図１０】第６実施形態の安全装置の特徴を示す正面図と縦断面図
【符号の説明】
【００３５】
１０、２０、３０…安全装置（リング状部材）
１２…顕微鏡レボルバ
１４…対物レンズ
１６…固定ねじ
１８…キャップ
【図１】
2006126344.tif 000003
【図２】
2006126344.tif 000004
【図３】
2006126344.tif 000005
【図４】
2006126344.tif 000006
【図５】
2006126344.tif 000007
【図６】
2006126344.tif 000008
【図７】
2006126344.tif 000009
【図８】
2006126344.tif 000010
【図９】
2006126344.tif 000011
【図１０】
2006126344.tif 000012